(57)【要約】１種または複数種の飲料の原料を収容するポッドが提供され、ポッドは、開放上部と底における出口開口とを備える概して硬質の外側部材（１２）を備え、内部フィルタ（１６）が外側部材の底部に隣接し、１種または複数種の飲料の原料がフィルタの上方に配置され、蓋（１４）が開放上部を閉じる。外側部材は、外周側壁（２０）を有し、外周側壁（２０）は、開放上部を画定し、底部に向かって開放上部から下方に延び、出口開口に向かって内側に集まる。側壁の底部が、出口開口に向かって外側部材の内部内で内側に延びる複数のリブ（３６）を画定する。飲料の出口流の経路が、隣接したリブの間に配置され、出口開口に向かって向けられる。フィルタは、出口開口および飲料の出口流の経路の上方でリブによって支持される。
2014511253.tif 000002
【特許請求の範囲】
【請求項１】
１種または複数種の飲料の原料を収容するポッドであって、
開放上部を画定し、底部に向かって前記開放上部から下方に延び、出口開口に向かって内側に集まる外周側壁を有する概して硬質の外側部材であって、前記側壁の前記底部が、前記出口開口に向かって前記外側部材の前記内部内で内側に延びる複数のリブを画定し、飲料の出口流の経路が、隣接したリブの間に配置され、前記出口開口に向かって向けられる、外側部材と、
前記出口開口および前記飲料の出口流の経路の上方で前記複数のリブによって支持されるフィルタと、
蓋であって、該蓋は該蓋および前記フィルタによって一部境界が定められる飲料の原料の区画室を形成するように前記開放上部を閉じるために前記外側部材の前記側壁に取り付けられ、前記飲料の原料の区画室への水媒体の流入に対応するように穴をあけることが可能である、蓋と、
前記飲料の原料の区画室に配置される１種または複数種の飲料の原料と
を備えることを特徴とするポッド。
【請求項２】
前記側壁はその周辺の周りに内側段部を備え、該内側段部は前記リブの上面部と実質的に同一平面上にあり、前記フィルタが取り付けられる取り付け面を画定することを特徴とする請求項１に記載のポッド。
【請求項３】
前記取り付け面に取り付けられた前記フィルタが、自由に流れる面積と流れが遮断される面積との比が約３：１から約４：１の間であり、より好ましくは約３．２：１から約３．７：１の間であり、さらにより好ましくは約３．４：１であることを特徴とする請求項２に記載のポッド。
【請求項４】
前記リブの前記上面が正確に同一平面上にある場合より前記取り付け面の前記面積が大きいように、前記リブの前記上面部は、わずかな傾斜で前記出口開口に向かって内側に延びていることを特徴とする請求項２または３に記載のポッド。
【請求項５】
前記側壁の前記底部が、ドーム状の形状を有することを特徴とする請求項１から４のいずれかに記載のポッド。
【請求項６】
前記飲料の出口流の経路が、曲線的な底壁および前記底壁の両側にある直立した内部の側壁部分によってそれぞれ一部画定され、前記側壁部分が隣接したリブの側壁部分も形成することを特徴とする請求項５に記載のポッド。
【請求項７】
前記ドーム状の形状が、前記曲線的な底壁によって画定されることを特徴とする請求項６に記載のポッド。
【請求項８】
前記ドーム状の形状が、前記ポッドの全高の約２０％から約３０％の間の高さ、より好ましくは前記ポッドの全高の約２５％の高さを有することを特徴とする請求項５から７のいずれかに記載のポッド。
【請求項９】
前記側壁の前記底部が、使用時に、前記ポッドが、飲料を分配するための位置で飲料抽出装置の抽出区画室内に少なくとも一部受け入れられるように構成され、そして該位置で、前記側壁の前記底部が、前記抽出区画室の直立した穴をあける要素から間隔をおいて配置されることを特徴とする請求項１から８のいずれかに記載のポッド。
【請求項１０】
前記側壁が環状であり、前記出口開口が、前記側壁の実質的に平坦な部分によって囲まれ、前記実質的に平坦な部分の直径と前記飲料の原料の区画室に隣接する側壁の最大直径との間の比が、約１：３．７から約１：４．７の間であることを特徴とする請求項１から９のいずれかに記載のポッド。
【請求項１１】
前記蓋が、非金属の多層のフィルムであることを特徴とする請求項１から１０のいずれかに記載のポッド。
【請求項１２】
前記外側部材が、トウモロコシ由来の生分解性材料で形成されることを特徴とする請求項１から１１のいずれかに記載のポッド。
【請求項１３】
前記ポッドの前記蓋および／または外側部材のいずれかのバリア特性と比較してより大きいバリア特性を与える外側の可撓性ラッパーと組み合されることを特徴とする請求項１から１２のいずれかに記載のポッド。
【請求項１４】
請求項１から１３のいずれかに記載の前記ポッドにおける前記飲料の原料から作製される飲料を分配する方法であって、
前記出口開口が遮断されない構成で前記ポッドを用意するステップと、
前記ポッドを飲料抽出装置の抽出区画室に挿入するステップと、
前記蓋に開口を形成するステップと、
前記蓋の前記開口を通じて前記ポッドの前記飲料の原料の区画室の中に水媒体を注入するステップであって、それによって前記水媒体が、前記１種または複数種の飲料の原料と相互作用して飲料を形成する、ステップと、
前記飲料を前記フィルタに通して濾過するステップと、
前記飲料を前記飲料送出ポッドから前記出口開口を通じて分配するステップと
を含むことを特徴とする方法。
【請求項１５】
請求項１から１３のいずれかに記載の前記飲料ポッドを製造する方法であって、
前記外側部材を用意するステップと、
前記フィルタを前記外側部材に挿入するステップと、
前記外側部材の前記底部において前記リブに前記フィルタを取り付け、少なくとも実質的に前記リブを囲む前記側壁の周辺部に取り付けるステップと、
前記１種または複数種の飲料の原料を前記フィルタ上方で前記外側部材の中に配置するステップと、
前記１種または複数種の飲料の原料の上方で前記蓋を前記外側部材に取り付けて前記飲料の原料の区画室を閉鎖するステップと
を含むことを特徴とする方法。
【発明の詳細な説明】
【技術分野】
【０００１】
ここに記載されているのは、飲料送出ポッド（ｂｅｖｅｒａｇｅ  ｄｅｌｉｖｅｒｙ  ｐｏｄ）であり、詳細には、飲料の準備のために１種または複数種の原料を収容する密閉式の飲料送出ポッドである。
【背景技術】
【０００２】
単一の飲料提供用飲料抽出システム（ｓｅｒｖｅ  ｂｅｖｅｒａｇｅ  ｂｒｅｗｉｎｇ  ｓｙｓｔｅｍ）は、コーヒーまたは茶などの１種または複数種の飲料の原料の単一の提供部を含みフィルタ式ポッドを受け入れるように構成される抽出機械を有し得る。抽出機械は、ポッドを通じて加熱された水を通すときに、抽出機械から飲料を作製および分配するように構成され得る。ある機械は、ポッドの上部に穴をあけて水をポッドに注入すると共に、ポッドの底に穴をあけて飲料がポッドから出て行くことを可能にするように構成され得る。水の注入と飲料の退出の両方のためにポッドに穴をあけることは、全ての応用例に望ましいものであり得るとは限らない。
【０００３】
飲料ポッドは、種々の異なる材料から、種々の異なるように構築され得るものであり、その全てが高い費用対効果の製造および廃棄をもたらすものでも、その全てが異なる飲料抽出システムでの使用に適しているわけでもない。例えば、ある飲料ポッドは、組立中に内部要素の複雑な操作を必要とし得る。またある飲料ポッドは、複雑な内部の射出成形の構成部品を必要とし得る。飲料ポッドは、そのコストを増すことになり望ましくない材料を用いて作製されることも知られている。
【発明の概要】
【０００４】
１種または複数種の飲料の原料を収容するポッドが提供され、ポッドは、開放上部と底における出口開口とを備えるほぼ硬質の外側部材を備え、内部フィルタが外側部材の底部に隣接し、１種または複数種の飲料の原料がフィルタの上方に配置され、蓋が開放上部を閉じる。外側部材は、外周側壁を有し、外周側壁は、ほぼ環状であってもよく、開放上部を画定し、底部に向かって開放上部から下方に延び、出口開口に向かって内側に集まる。側壁の底部が、出口開口に向かって外側部材の内部内で内側に延びる複数のリブを画定する。飲料の出口流の経路が、隣接したリブの間に配置され、出口開口に向かって向けられる。実質的に平坦であってもよいフィルタは、出口開口および飲料の出口流の経路の上方でリブによって支持される。
【０００５】
フィルタの取り付けを容易にするために、側壁は、リブの上面部と実質的に同一平面上にあるその周辺の周りに内側段部を備えて、接着剤または溶接などを用いることによってフィルタが取り付けできる取り付け面を画定する。大きい取り付け面は、フィルタの取り付けを簡単にすることができるが、大き過ぎる場合、フィルタのより多くの範囲が遮断されることになり、それによって自由に流れる面積を減少させる。一態様では、取り付け面に取り付けられたフィルタが、自由に流れる面積と流れが遮断される面積との比が約３：１から約４：１の間であり、より好ましくは約３．２：１から約３．７：１の間であり、さらにより好ましくは約３．４：１である。
【０００６】
自由に流れる面積を含むフィルタの表面積を増大させるために、フィルタは、上方に向いていようが下方に向いていようが、切頭円錐形の構成を含む円錐形であってもよい。これは、リブの上面およびその上のフィルタが正確に同一平面上にある場合より取り付け面の面積が大きくなるように、ある傾斜で出口開口に向かって内側に延びるリブの上面部を構成することによって達成され得る。
【０００７】
側壁の底部は、半円またはドーム状の形状を有してもよく、半円またはドーム状の形状は、出口流の経路の曲線的な底面によって少なくとも一部画定することができる。出口流の経路は、底壁の各々の両側に配置された直立した内部の側壁部分によって境界が定められてもよい。それらの同じ側壁部分は、隣接したリブの側壁部分も形成することができる。
【０００８】
側壁の底部が半円またはドーム状の形状である場合に含まれる側壁の底部が、使用時に、ポッドが、飲料を分配するための位置で飲料抽出装置の抽出区画室内に少なくとも一部受け入れられるように構成されてもよく、側壁の底部が、抽出区画室の直立した穴をあける要素から間隔をおいて配置される。すなわち、側壁の底部は、飲料を分配するために穴をあけられる必要はない。一態様では、底部の高さは、ポッドの全高の約２０％から約３０％の間の高さ、より好ましくはポッドの全高の約２５％の高さである。別の態様では、出口開口が、側壁の実質的に平坦な部分によって囲まれてもよい。実質的に平坦な部分の直径と飲料の原料の区画室に隣接する側壁の最大直径との間の比が、約１：３．７から約１：４．７の間であり得る。
【０００９】
飲料送出ポッドを形成するのに使用される材料は、経済的な製造および／または再生利用性を促進するように選択されてもよい。一態様では、蓋は、非金属の多層のフィルムで形成されてもよい。金属層を省くことによって、蓋は、外側部材からより容易に取り外されて、使用後に残っている飲料の原料を空にし、蓋および／または外側部材を再生利用することができる。別の態様では、外側部材は、トウモロコシ由来の生分解性材料で形成されてもよい。さらに別の態様では、蓋および／または外側部材は、強化されたバリア特性を欠く材料で形成されてもよい。代わりに、１つまたは複数のポッドは、ポッドの蓋および／または外側部材のバリア特性と比較してより大きいバリア特性を与えることができる可撓性ラッパーなどの外装内に設けられてもよい。
【００１０】
本明細書に記載のポッドのいずれかにおける飲料の原料から作製される飲料を分配する方法も提供される。この方法は、ポッドを飲料抽出装置の抽出区画室に挿入するステップと、蓋に開口を形成するステップと、蓋の開口を通じてポッドの飲料の原料の区画室の中に水媒体を注入する水媒体を注入するステップであって、それによって水媒体が、１種または複数種の飲料の原料と相互作用して飲料を形成する、ステップとを含む。この方法は、飲料をフィルタに通して濾過するステップと、その後に、飲料を飲料送出ポッドから出口開口を通じて分配するステップとをさらに含む。この方法は、抽出区画室の中にポッドを挿入するステップの前に、適宜、遮断されない構成でポッドを出口開口に与えることを含み、それによって結果として得られる飲料が、外側部材の底部に穴をあける必要なくポッドから出てくることができる。
【００１１】
本明細書に記載の飲料送出ポッドのいずれかを製造する方法も提供される。この方法は、外側部材を用意するステップと、フィルタを外側部材に挿入するステップと、外側部材の底部においてリブにフィルタを取り付け、少なくとも実質的にリブを囲む側壁の周辺部に取り付けるステップと、１種または複数種の飲料の原料をフィルタ上方で外側部材の中に配置するステップと、１種または複数種の飲料の原料の上方で蓋を外側部材に取り付けて飲料の原料の区画室を閉鎖するステップとを含んでもよい。
【図面の簡単な説明】
【００１２】
【図１】蓋が取り付けられている外側部材を示す飲料送出ポッドの側面図である。
【図２】飲料の原料が省略された状態で蓋、内部フィルタ、および外側部材を示す図１の飲料送出ポッドの分解斜視図である。
【図３】外側部材の底部の内部の内側に延びる隆起したリブ、およびそれらの間の出口開口に向かって向けられた出口流の経路を示す図１の飲料送出ポッドの外側部材の斜視図である。
【図４】図１の飲料送出ポッドの外側部材の上面図である。
【図５】蓋、飲料の原料、フィルタ、および出口流の経路の一部を画定する曲線的な壁を示す、（明確にするために、蓋、飲料の原料、およびフィルタは省略されている）図４に示される線５−５に沿った図１の飲料送出ポッドの断面立面図である。
【図６】蓋、飲料の原料、フィルタ、およびリブを示す、（明確にするために、蓋、飲料の原料、およびフィルタは省略されている）図４に示される線６−６に沿った図１の飲料送出ポッドの断面立面図である。
【図７】図５の図と同様の飲料送出ポッドの断立面図であるが、外側部材の底部が、抽出区画室の底に穴をあける要素から間隔をおいて配置された状態で、飲料抽出装置の抽出区画室内に配置されるポッドを示す図である。
【発明を実施するための形態】
【００１３】
飲料送出ポッド１０は、図１〜図７で全部または一部が示されるように、一般に、１種または複数種の飲料の原料１８を収容するための外側部材１２と、外側部材１２の底部に支持されるフィルタ１６と、外側部材１２の上部を閉鎖する蓋１４とを備える。使用時、飲料送出ポッド１０は、その蓋１４に穴をあけられて水媒体、典型的には水が開口を通じて導入される開口を形成するように構成される。１種または複数種の飲料の原料は、例えば、焙煎コーヒーおよび挽いたコーヒー、またはリーフティーであり得る。他の例示的な飲料の原料には、液体コーヒー、チョコレート、またはそれらの組み合わせなどが含まれる。水媒体は、ポッド１０内の１種または複数種の飲料の原料１８と混ざって飲料を形成し、飲料は、フィルタ１６を通過し、外側部材１２の底部に配置された出口開口３４を通じて分配される。
【００１４】
例示的な実施形態の飲料送出ポッド１０は、外側部材１２が穴をあけられる必要なく飲料の分配を可能にするように構成される。代わりに、図７に示されるように、飲料は、外側部材１２の底部に配置された出口開口３４から流れることが可能にされる。例示的な実施形態の飲料送出ポッド１０は、出口開口３４の上方の高い位置で支持される円錐形フィルタ１６を用意することを含む製造を容易にするようにも構成される。例示的な実施形態の飲料送出ポッド１０は、容易に再生利用可能であり得るコストを削減した構成要素を使用するようにさらに構成される。
【００１５】
まず、飲料送出ポッド１０の構成を参照すると、外側部材１２は、一般に、図１〜図４に示されるように、環状のカップの形状である。外側部材１２は、飲料送出ポッド１０の径方向外側の境界、およびその底部を形成する外側壁２０を備える。側壁は、図１に示されるように、側壁２０の上部分２６の上縁から径方向外側に延び、ポッド１０の開放上部を囲む周辺フランジ２２を含む。周辺フランジ２２は、蓋１４の外周部を封止する面を与える。直径は、側壁２０の上部分２６の下縁に位置する内側に延びる上段部２８で減少する。側壁２０の中間部分３０は、上段部２８の径方向内側の縁から下側段部３２の外側の縁へ下方に延びる。下側段部３２は、中間部分３０から、外側部材１２の底を表す下部のドーム状の底部２４への側壁２０の移行部にある。
【００１６】
上部分２６、中間部分３０、および底部２４は共に、内側に連続的に先が細くなっており、上部分２６の先細りおよび中間部分３０の先細りは実質的に一定であり、底部２４の先細りは増しており、外側部材１２の直径、およびしたがってポッド１０の直径は、上部から底へ向かって減少するようになっている。そのような先が細くなった構成は、形成中の鋳型からの外側部材１２の取り出しを容易にすることができると共に、飲料機械内の挿入および設置を容易にすることができる。段部２８および段部３２は、外側部材１２の輪の強度を増大させるように機能することができ、それによって外側部材１２を形成するのに使用される材料の厚さおよびしたがって量が最小にされることを可能にする。段部２８および段部３２の一方または両方は、充填作業中の設置および支持を助けることもできる。
【００１７】
図２〜図４に示されるように、外側部材１２の側壁２０の底部２４は、複数の隆起した内側に延びるリブ３６を備える。図４に示されるように、リブ３６は出口開口３４を囲む。出口流の経路の少なくとも一部を画定する流れのチャンネルが、リブ３６の間に配置され、使用時には、この出口流の経路を通じて、飲料は、出口開口３４に向かって流れる間に、フィルタ１６の下流に通過できる。リブ３６および散在する流れのチャンネルは、外側部材１２の内部に関連している。外部から見ると、リブ３６は溝であるように見え、流れのチャンネルの境界は、溝によって隔てられた突出要素であるように見える。６つのリブ３６および６つの流れのチャンネルが、図に示されているが、２つのリブおよび対応する数の流れのチャンネル、または好ましくは３つ以上のリブおよび対応する数の流れのチャンネルなどの他の個数が用いられてもよい。
【００１８】
図４に示されるように、リブ３６は、下側段部３２の内側縁を起点とし、一対の内側に延びる側壁部分４０および内側の正面壁４２によってそれぞれ画定される。リブ３６のそれぞれは、実質的に平坦な上面４４も有する。リブ３６の上面４４は、下側段部３２の内向きの面と実質的に同一平面上にあり、以下に説明する目的のために、下側段部３２の内向きの面は、リブ３６の周りにリングを形成するようになっている。
【００１９】
流れのチャンネルも、下側段部３２の内側縁を起点とし、その底において曲線的な底面３８によって、およびその両側で隣接したリブ３６を定めるのと同じ壁部分４０によってそれぞれ境界が定められる。曲線的な底面３８は、フィルタを通じて出口開口３４に向かって飲料を、概して滑らかなように、例えば、流れの方向に障害や変化がなく案内するように機能する。流れのチャンネルは、出口開口３４周りに配置される共通の空間にそれぞれ向けられ、そこで流れは、図７に示されるように、突き当たり、混ぜ合わされて出口開口３４から出て行く１本または複数本の飲料のストリームを形成することができる。曲線的な底面３８の１つ１つを組み合わせると、図１に示されるように側面図で見るときなどに、外側部材１２の側壁２０の底部２４のドーム状の外見が与えられる。
【００２０】
下側段部３２の内向きの面およびリブ３６の上面４４は、共同して実質的に平坦な面を形成し、そこにフィルタ１６を付着することができる。実質的に平坦な面の少なくとも一部は、取り付け面として働き、この取り付け面は、取り付け面でフィルタを貫く流れを妨げるようにフィルタ１６が取り付けられる部分である。付着は、接着剤、溶着、または他の適切な取り付け法を用いて達成することができる。好ましくは、下側段部３２の内向きの面への取り付けは、実質的に連続的であり、より好ましくは、完全に連続的であり、そのため、全てではないとしてもほとんどの飲料が、出口開口３４を通じて出て行く前にフィルタ１６を通過しなければならない。リブ３６の上面４４は、出口開口３４の上方の高い位置でフィルタ１６を支持するのを助けることができ、それによってフィルタ１６の十分に分散した範囲を与え、飲料は、フィルタが下側段部３２の内側で支持されていない場合に生じ得るように出口開口３４のすぐ上またはすぐ隣の領域に著しく集中されるのではなく、フィルタ１６のくっついていない表面積のより多くを通過するようになっている。しかし、取り付け面は、フィルタ１６のすぐ隣の部分を通る流体の流れを遮断することができる。好ましくは、この取り付け面は、飲料の分配時の加圧および濾過中に、その高い位置でフィルタ１６を保持するのに十分な支持をまだ与えつつ、フィルタ１６の表面積の大部分が取り付けられていない、すなわち、取り付け面によって遮断されないままであるようにある程度まで最小化される。好ましい実施形態では、フィルタ１６は、自由に流れる面積と流れが遮断される面積との比が約３：１から約４：１の間であり、より好ましくは約３．２：１から約３．７：１の間であり、さらにより好ましくは約３．４：１である。遮断されない表面積がより大きいと、フィルタを通じて飲料を押し出すための圧力の要求が減少することになり得る。
【００２１】
フィルタ１６の遮断されない表面積を増加させるために、フィルタ１６は、円錐形の構成にしてもよい。すなわち、フィルタ１６の中央部は、その外周と正確に同一平面上にあるのではなく、形状が切頭円錐形を含む円錐形であってもよい。例えば、フィルタ１６は、約１０度から約１５度ないし約２０度の間で、より好ましくは約２０度から約４０度の間で、例示的な実施形態では、いっそうさらに好ましくは約３０度で、その中央部に向かって傾斜角を有してもよい。フィルタ１６は、その直径より低い高さを有してもよい。例えば、３７ｍｍの直径を有するフィルタにおける傾斜角３０度は、フィルタ１６の総面積を、正確に平坦である場合の１００７ｍｍ２から１１６５ｍｍ２へ増大させることができる。円錐形形状は、上方または下方に向けられて表面積を増大させることができるが、フィルタ１６の円錐形形状は、出口開口３４に向かって下方に向けられることが好ましい。あるいは、フィルタは、実質的に平坦であってもよい。
【００２２】
フィルタ１６の円錐形形状を実現するために、リブ３６の上面４４は、フィルタ１６に望ましい傾斜角と同じまたは概して同じ傾斜角で上方または下方にわずかに傾けられてもよい。さらに、リブ３６の上面４４は、内側に先が細くなっても狭められてもよく、それによって飲料が出て行く傾向にある場所であるその中央部に向かってフィルタ１６のより少ない支持または遮断された表面積が存在する。
【００２３】
次に、飲料送出ポッド１０の構成要素の材料および構成の詳細に移ると、例示的な実施形態における外側部材１２は、薄い壁があり、概して硬質の構成である。概して硬質であることによって意味されることは、この構造が、通常の取扱い中にそのそれぞれの形状を概して保持する能力を有し、変形があれば、その元の形状に向かって戻る傾向があるということである。好ましくは、外側部材１２は、トウモロコシ由来の材料などの生分解性高分子材料で形成される。適した材料には、分解性のポリエチレン（例えば、Ｓｙｍｐｈｏｎｙ  Ｅｎｖｉｒｏｎｍｅｎｔａｌ、Ｂｏｒｅｈａｍｗｏｏｄ、英国によって供給される、ＳＰＩＴＥＫ）、生分解性 ポリエステルアミド（例えば、Ｓｙｍｐｈｏｎｙ  Ｅｎｖｉｒｏｎｍｅｎｔａｌによって供給されるΒＡΚ  １０９５）、ポリ乳酸（Ｃａｒｇｉｌｌ、Ｍｉｎｎ．、米国によって供給されるＰＬＡ）、デンプン由来のポリマー、セルロース誘導体、およびポリペプチドが含まれる。
【００２４】
好ましくは、フィルタ１６は、高い湿潤強度を有する材料、例えば、ポリエステル不織布繊維材料から作製される。使用できる他の材料には、織った紙繊維を含むセルロース材料などの水不浸透性セルロース材料が含まれる。織った紙繊維は、ポリプロピレン、ポリ塩化ビニル、および／またはポリエチレンの繊維と混合されてもよい。これのプラスチック材料のセルロース材料への組み込みは、リブ３６の面部分４４および下側段部３２の内向きの面に対してセルロース材料をヒートシール性にさせる。フィルタ１６は、材料が取り付け面に対して密閉できるように、熱および／または圧力によって活性化される材料処理またはコーティングすることもできる。
【００２５】
好ましくは、蓋１４は、１つまたは複数のポリプロピレン（ＰＰ）、または充填されたポリプロピレン層、およびポリエチレンテレフタレート（ＰＥＴ）層から作製される多層のフィルムである。一例では、蓋１４は、以下の層を有することができ、すなわち、ＰＰ（約２５ミクロン）、充填されたＰＰ（約６０ミクロン）、ＰＰ（約２５ミクロン）、およびＰＥＴ（約２３ミクロン）の層を有することができる。好ましくは、必ずしも必要ではないが、蓋１４は、アルミ箔層などの金属層を含まない。これにより、金属の残余物を背後に残すことなく、蓋１４が外側部材１２の側壁２０のフランジ２２に対する取り付けからより容易に取り外されることが可能になり得る。これにより、蓋１４が、使用後に外側部材１２から取り外され、内容物が捨てられまたは他の方法で取り除かれ、外側部材１２の再生利用の準備ができることを可能にすることができる。
【００２６】
蓋１４と外側部材１２はどちらも、従来のバリア層がなくてもよい。バリア層をなくすことにより、構成要素のコストを下げることができる。飲料送出ポッド１０の適切な貯蔵寿命のためのバリア特性をもたらすために、フローラップフィルム（ｆｌｏｗ  ｗｒａｐｐｅｄ  ｆｉｌｍ）の形態にあり得る外側ラッパー（ｏｕｔｅｒ  ｗｒａｐｐｅｒ）などの２つ以上のポッド１０のうちの１つまたは群について外装が設けられてもよい。
【００２７】
図７に示されるように、飲料送出ポッド１０は、外壁１０４によって画定される抽出区画室１００を有する飲料抽出装置に使用されるように構成されてもよい。ポッド１０の外側部材１２の周辺フランジ２２は、抽出区画室１００の外壁１０４の上部分１０２に支持され得る。ポッド１０は、抽出するのに十分な程度まで挿入されたときに区画室１００の底壁１０６の底に穴をあける部材１１０によってポッド１０が穴をあけられないように構成されてもよい。好ましくは、外側部材１２の側壁２０の底部分２４の出口開口３４は、開放しており、例えば出口開口３４が穴をあけられる必要がない。出口開口３４は完全に開放していてもよいが、分配中の飲料、熱、または他の現行の非機械的ファクタによって溶解されるまで出口開口３４を遮断するために、抽出区画室１００に挿入される前に取り除くことができるラベル（ｌａｂｅｌ）、またはポッド１０に配置される溶解できるプラグ（ｐｌｕｇ）などを用いて、出口開口３４は最初に閉じていることもできる。
【００２８】
本明細書に記載のポッドのいずれかにおける飲料の原料から作製される飲料を分配する方法も提供される。この方法は、ポッド１０を飲料抽出装置の抽出区画室１００に挿入するステップと、入口に穴をあける器具１１２などを用いて蓋１４に開口を形成するステップと、蓋１４内の開口および入口に穴をあける器具１１２によってポッド１０の飲料の原料の区画室の中に水媒体を注入するステップであって、それによって水媒体が、１種または複数種の飲料の原料１８と相互作用して飲料を形成する、ステップとを含む。この方法は、飲料をフィルタ１６に通して濾過するステップと、その後に、飲料を飲料送出ポッド１６から出口開口３４を通じて抽出区画室１００の中に入れ、抽出区画室１００からその出口１０８を通じて分配するステップとをさらに含む。この方法は、抽出区画室１００の中にポッドを挿入するステップの前に、適宜、遮断されない構成でポッド１０を出口開口３４に与えることを含み、それによって結果として得られる飲料が、抽出区画室１００の底１０６に関連した穴をあける器具１１０などによって、外側部材１２の底部に穴をあける必要なくポッド１０から出てくることができる。
【００２９】
ここに記載の飲料送出ポッド１０のいずれかを製造する方法も提供される。この方法は、外側部材１２を用意するステップと、フィルタ１６を外側部材１２に挿入するステップと、外側部材の底部においてリブ３６にフィルタ１６を取り付け、少なくとも実質的にリブ３６を囲む下側段部３２の内向きの面の周辺部に取り付けるステップと、１種または複数種の飲料の原料１８をフィルタ１６の上方で外側部材１２の中に配置するステップと、１種または複数種の飲料の原料１８の上方で蓋１４を外側部材１２に取り付けて飲料の原料の区画室を閉鎖するステップとを含んでもよい。
【００３０】
前述より、飲料送出ポッド、使用方法、および製造方法が提供されることが理解されよう。しかし、多数の修正形態および変更形態が、本明細書中の説明および特許請求の範囲に記載の範囲から逸脱することなく当業者によってそれらになされ得る。
【図１】
2014511253.tif 000003
【図２】
2014511253.tif 000004
【図３】
2014511253.tif 000005
【図４】
2014511253.tif 000006
【図５】
2014511253.tif 000007
【図６】
2014511253.tif 000008
【図７】
2014511253.tif 000009
【国際調査報告】
2014511253.tif 000010
2014511253.tif 000011
2014511253.tif 000012